(57)【要約】【課題】マンションやオフィスビル等のベランダであっても設置可能なコンパクトな暑熱環境低減装置を提供する。【解決手段】保水性及び揚水性を有する複数の板状部材６を組み立てることにより、隣接する板状部材６、６間で空気を流通させる通気孔１７を形成した本体部２と、内部に所定量の水が貯留されるとともに、この水内に本体部２の一部を浸漬させることにより本体部２に水を供給する給水部２０と、この給水部２０に水を補給する補給水部２３とを備える。補給水部２３から給水部２０に水を補給して貯留し、給水部２０に貯留した水を本体部２に揚水させることにより本体部２が湿潤される。本体部２を湿潤させた状態で通気孔１７に空気を流通させることにより、通気孔１７を通過する空気が本体部２から蒸発する水の蒸発冷却作用によって冷却される。【選択図】図１
2007270457.tif 000002
【特許請求の範囲】
【請求項１】
保水性及び揚水性を有する複数の板状部材を組み立てることにより、隣接する板状部材間で空気を流通させるための通気孔を形成した本体部と、内部に所定量の水が貯留されるとともに、該水内に前記本体部の一部を浸漬させることにより、前記本体部に水を供給する給水部と、該給水部に水を補給する補給水部とを備えていることを特徴とする暑熱環境低減装置。
【請求項２】
前記給水部は、内部に所定量の水が貯留される密閉された給水タンクを備え、該給水タンクには内外を貫通する貫通孔が設けられ、該貫通孔を介して前記本体部の一部が給水タンクの内部の水に浸漬されていることを特徴とする請求項１に記載の暑熱環境低減装置。
【請求項３】
前記補給水部は、雨樋等を通じて回収した雨水を貯留させておく補給水タンクを有し、該補給水タンク内の水が補給水管を通じて前記給水タンクに供給されるように構成されていることを特徴とする請求項１又は２に記載の暑熱環境低減装置。
【請求項４】
前記本体部の一部には、植木鉢を載置可能な前記板状部材からなる植木鉢台が設けられていることを特徴とする請求項１から３の何れかに記載の暑熱環境低減装置。
【請求項５】
前記本体部の一部には、前記板状部材によって周囲が囲まれ、かつ底部が閉塞されたプランタが設けられていることを特徴とする請求項１から４の何れかに記載の暑熱環境低減装置。
【発明の詳細な説明】
【技術分野】
【０００１】
本発明は、暑熱環境低減装置に関し、特に、水の蒸発冷却による冷却機能と植木鉢等に自動給水する自動給水機能とを備えた暑熱環境低減装置に関する。
【背景技術】
【０００２】
水の蒸発冷却による冷却機能を利用した自然冷却装置の一例として、例えば、特許第３５１３５３３号には、建物の外壁を保水性を有する多孔質壁材によって構成し、この外壁の外側に草木等の植物を植栽して外壁を覆い、外壁の上端部に給水路を設けるとともに、給水路に通水路を接続して、給水路から必要量の水を通水路内に供給して外壁の縦方向に流下させ、多孔質壁材の前後面間を貫通する多数の通風路を介して空気を流通させるように構成した自然冷却装置が記載されている。
【０００３】
このような構成の自然冷却装置にあっては、給水路から通水路内に水を供給して外壁の縦方向に水を流下させて外壁を湿潤させておくことにより、外壁の壁面からの水の気化による吸熱と、草木等の植物による日射の遮蔽、及び草木等の植物の水分の蒸散による吸熱とによって外壁が冷却される。
【０００４】
そして、この状態で外壁の多数の通風路を介して空気を建物の内部に取り込むことにより、通風路内で加湿冷却された空気を建物内部に取り込むことができ、建物の内部を冷却することができるというものである。
【特許文献１】特許第３５１３５３３号公報
【発明の開示】
【発明が解決しようとする課題】
【０００５】
ところで、上記のような構成の自然冷却装置にあっては、建物の外壁を利用して建物の内部に冷却された空気を取り込んでいるために、装置全体が大型化してしまい、使用可能な範囲が一戸建ての住宅等に制限されてしまう。このため、マンションやオフィスビル等の集合住宅の個別の住戸には適用することが困難であり、適用する場合には共有部分を改造しなければならず、費用が嵩んでしまう。さらに、植栽した草木等に自動的に給水する機能を備えていないため、定期的に植栽した草木等に水を給水しなければならず、草木等の管理にも手間がかかることになる。
【０００６】
本発明は、上記のような従来の問題に鑑みなされたものであって、全体を小型化することができて、マンションやオフィスビル等の集合住宅の個別の住戸であっても、共有部分を改造等することなく容易に適用することができるとともに、構造が簡単でコストを安く抑えることができ、さらに、植木鉢やプランタ等に植栽した草木等の植物に自動的に給水することができて、草木等の管理に要する手間を大幅に削減することができる暑熱環境低減装置を提供することを目的とする。
【課題を解決するための手段】
【０００７】
上記のような課題を解決するために、本発明は、以下のような手段を採用している。
すなわち、請求項１に係る発明は、保水性及び揚水性を有する複数の板状部材を組み立てることにより、隣接する板状部材間で空気を流通させるための通気孔を形成した本体部と、内部に所定量の水が貯留されるとともに、該水内に前記本体部の一部を浸漬させることにより、前記本体部に水を供給する給水部と、該給水部に水を補給する補給水部とを備えていることを特徴とする。
【０００８】
本発明による暑熱環境低減装置によれば、補給水部から給水部に補給される水は、給水部から本体部に揚水されて本体部に保水され、本体部が湿潤された状態に保たれる。そして、この状態で本体部の通気孔内を空気が流通すると、通気孔を通過する空気が本体部から蒸発する水の蒸発冷却作用によって冷却され、この冷却された空気が住戸の内部等に取り込まれることになる。
【０００９】
請求項２に係る発明は、請求項１に記載の暑熱環境低減装置であって、前記給水部は、内部に所定量の水が貯留される密閉された給水タンクを備え、該給水タンクには内外を貫通する貫通孔が設けられ、該貫通孔を介して前記本体部の一部が給水タンクの内部の水に浸漬されていることを特徴とする。
【００１０】
本発明による暑熱環境低減装置によれば、密閉された給水タンクの貫通孔を介して本体部の一部が給水タンクの内部に浸漬されているので、給水タンク内に虫等の異物が侵入するのを防止できることになる。
【００１１】
請求項３に係る発明は、請求項１又は２に記載の暑熱環境低減装置であって、前記補給水部は、雨樋等を通じて回収した雨水を貯留させておく補給水タンクを有し、該補給水タンク内の水が補給水管を通じて前記給水タンクに供給されるように構成されていることを特徴とする。
【００１２】
本発明による暑熱環境低減装置によれば、雨樋等を通じて回収した雨水を補給水タンクに貯留させておき、この補給水タンク内の水が補給水管を通じて給水タンクに供給されることになるので、給水タンク内に常に所定量の水を貯留させておくことができる。従って、給水タンク内の水に一部が浸漬される本体部を常に湿潤した状態に保つことができる。
【００１３】
請求項４に係る発明は、請求項１から３の何れかに記載の暑熱環境低減装置であって、前記本体部の一部には、植木鉢を載置可能な前記板状部材からなる植木鉢台が設けられていることを特徴とする。
【００１４】
本発明による暑熱環境低減装置によれば、本体部の植木鉢台に植木鉢を載置させ、植木鉢の土と植木鉢台との間を不織布等の導水部材によって接続することにより、湿潤状態の本体部から植木鉢の土に水が自動的に給水され続けることになるので、植木鉢の土に定期的に水を供給する必要がなくなる。
【００１５】
請求項５に係る発明は、請求項１から４の何れかに記載の暑熱環境低減装置であって、前記本体部の一部には、前記板状部材によって周囲が囲まれ、かつ底部が閉塞されたプランタが設けられていることを特徴とする。
【００１６】
本発明による暑熱環境低減装置によれば、プランタの内部に収容される土に、湿潤状態の本体部から水が自動的に供給され続けることになるので、プランタの内部の土に定期的に水を供給する必要がなくなる。
【発明の効果】
【００１７】
以上、説明したように、本発明の暑熱環境低減装置によれば、複数の板状部材を組み立ててなる本体部と、本体部に水を供給する給水部と、給水部に水を補給する補給水部とからなる簡単な構造のものであるので、マンションやオフィスビル等のベランダにも設置することが可能となり、適用可能な範囲を広げることができる。
また、本体部、給水部、及び補給水部は、構造が簡単なものであるので、製作に要する手間を削減することができるとともに、マンションやオフィスビル等の共有部分を改造することなく設置できるので、装置全体としてのコストを低減させることができるとともに、設置に要するコストも低減させることができる。
さらに、植木鉢の土やプランタの土に自動的に給水し続けることができるので、植木鉢やプランタを使用して各種の植物を育てる場合に、定期的に土に給水する必要はなく、植物の管理に要する手間を大幅に削減することができる。
【発明を実施するための最良の形態】
【００１８】
以下、図面を参照しつつ本発明の実施の形態について説明する。
図１〜図４には、本発明による暑熱環境低減装置の一実施の形態が示されていて、図１は全体を示す概略図、図２は図１の部分拡大正面図、図３は図２の平面図、図４は図２のＡ−Ａ線に沿って見た断面図である。
【００１９】
すなわち、この暑熱環境低減装置１は、図１に示すように、マンション、オフィスビル等のベランダ２８に適用可能なものであって、保水性及び揚水性を有する本体部２と、本体部２に水を供給する給水部２０と、給水部２０に水を補給する補給水部２３とを備えている。
【００２０】
本体部２は、保水性及び揚水性を有する複数の板状部材６を縦横に組み立てて全体がブロック状をなすように形成し、横方向に隣接する板状部材６、６間で本体部２の前面３と後面４との間を貫通する矩形状の通気孔１７をそれぞれ形成したものであって、マンション、オフィスビル等のベランダ２８の上部に後述する給水部２０を介して設置される。
【００２１】
各板状部材６は、複数の粒状体を型に入れて焼成することにより長方形板状に形成したセラミック製のものであって、隣接する粒状体間に形成される一連の空隙と、各粒状体の表面の微細孔同士が互いに連結されてなる一連の毛細孔管との協働により、保水性及び揚水性が付与されている。板状部材６としては、例えば、（株）栗本鉄工所製のバイオボード（商品名）が有効である。但し、これに限定することなく、同様の機能を有するものであればよい。
【００２２】
本体部２は、例えば、図２〜図４に示すように、上部に植木鉢２９を載置可能な植木鉢台５と、植木鉢台５の側部に設けられるとともに、上部に植栽用の土を収容可能なプランタ１９が設けられるプランタ台１８とによって構成される。
【００２３】
植木鉢台５は、板状部材６からなる４枚の脚板（第１脚板７、第２脚板８、第３脚板９、及び第４脚板１０）を、板面同士が互いに互いに対向するように、所定の間隔ごとに一列に垂直に立設するとともに、これらの４枚の脚板７〜脚板１０の上端間に板状部材６からなる天板１４を水平に架設したものであって、天板１４の上部に植木鉢２９を載置可能に構成している。
【００２４】
植木鉢台５の第１脚板７と第２脚板８との間、第２脚板８と第３脚板９との間、及び第３脚板９と第４脚板１０との間には、本体部２の前面３と後面４との間を貫通する矩形状の空間である通気孔１７がそれぞれ設けられ、この通気孔１７を介して空気が本体部２の前方から後方に向かって流通するように構成されている。
【００２５】
プランタ台１８は、植木鉢台５の第４脚板１０と所定の間隔をおいて、かつ板面同士が互いに対向するように、垂直に立設される板状部材６からなる第５脚板１１と、第４脚板１０と第５脚板１１との間に所定の間隔ごとに、かつ板面同士が互いに対向するように、垂直に立設される両脚板１０、１１よりも短い板状部材６からなる第６脚板１２及び第７脚板１３と、第６脚板１２及び第７脚板１３の上端間に水平に架設されるとともに、両端が第４脚板１０及び第５脚板１１の板面に連結される板状部材６からなる底板１５と、底板１５の上面側の両端部（本体部２の前面３側及び後面４側の端部  ）に垂直に立設されるとともに、両端部が第４脚板１０及び第５脚板１１の板面に連結される板状部材６からなる一対の側板１６、１６とから構成されている。
【００２６】
プランタ台１８の底板１５と両側板１６、１６と第４脚板１０と第５脚板１１とによって囲まれる部分には、上方が開口するプランタ１９が設けられ、このプランタ１９の内部に植栽用の土が所定量収容可能に構成されている。
【００２７】
植木鉢台５の第４脚板１０とプランタ台１８の第６脚板１２との間、プランタ台１８の第６脚板１２と第７脚板１３との間、第７脚板１３と第５脚板１１との間には、それぞれ本体部２の前面３と後面４との間を貫通する矩形状の空間である通気孔１７がそれぞれ設けられ、この通気孔１７を介して空気が本体部２の前方から後方に向かって流通するように構成されている。
【００２８】
給水部２０は、図１〜図４に示すように、金属、合成樹脂等から形成される密閉された給水タンク２１を有し、この給水タンク２１の内部に所定量の水が貯留可能に構成されている。給水タンク２１は、本体部２の外形よりも一回り大きく形成されるとともに、給水タンク２１の上部には給水タンク２１の内外を貫通する長方形状の挿入孔２２が所定の間隔ごとに設けられ、各挿入孔２２内に本体部２の各脚板（第１脚板７〜第７脚板１３）が挿入可能に構成されている。
【００２９】
この場合、各挿入孔２２は、図２及び図４に示すように、本体部２の各脚板（第１脚板７〜第７脚板１３）との間に殆ど隙間が形成されない程度の大きさに形成され、これにより、各脚板（第１脚板７〜第７脚板１３）と挿入孔２２の内面との間を介して虫等の異物が給水タンク２１内に侵入するのを防止している。
【００３０】
給水タンク２１をベランダ２８の上部に設置し、給水タンク２１の上部の各挿入孔２２内に本体部２の各脚板（第１脚板７〜第７脚板１３）を挿入させることにより、本体部２が給水タンク２１を介してベランダ２８の上部に設置され、本体部２の各脚板（第１脚板７〜第７脚板１３）の下端部が給水タンク２１の水内に浸漬され、給水タンク２１内の水が本体部２の各脚板（第１脚板７〜第７脚板１３）を介して本体部２の各部に揚水される。
【００３１】
補給水部２３は、図１に示すように、金属、合成樹脂等から形成される密閉された補給水タンク２４を有し、この補給水タンク２４内に雨樋２６を介して回収した雨水が導水管２７を通じて供給される。補給水タンク２４内には所定量の雨水が貯留され、この雨水は補給水タンク２４の底部と給水タンク２１の底部との間を接続している補給水管２５を介して給水タンク２１に補給される。
【００３２】
補給水タンク２４と給水タンク２１との間にはバルブ（図示せず）が設けられ、このバルブを給水タンク２１内の水のレベルに応じて開閉させることにより、給水タンク２１内に所定量の水を常に貯留させておくことができる。
【００３３】
そして、上記のように構成した本実施の形態による暑熱環境低減装置１をマンション、オフィスビル等のベランダ２８の上部に設置し、本体部２の前面３及び後面４が住戸の窓に正対するように向きを調整し、雨樋２６及び導水管２７を通じて補給水タンク２４内に雨水等の水を貯留させ、その水を補給水タンク２４から補給水管２５を介して給水タンク２１に供給し、給水タンク２１内に下端部が挿入されている本体部２の各脚板（第１脚板７〜第７脚板１３）に揚水させ、揚水させた水を本体部２の各部に行き渡らせ、本体部２の全体を湿潤した状態とする。
【００３４】
そして、この状態でベランダ２８の周囲の空気が本体部２の前面３側から各通気孔１７を介して後面３側に流通すると、本体部２から蒸発する水の蒸発冷却作用によって通気孔１７を通過する空気が冷却され、この冷却された空気が本体部２の後面４から住戸の内部に導かれ、住戸の内部が冷却された空気によって冷房されることになる。
【００３５】
また、上記のように構成した暑熱環境低減装置１の本体部２の植木鉢台５の天板１４の上部に植木鉢２９を載置し、植木鉢２９内の土３１と天板１４との間を不織布等の導水部材３０によって接続すると、本体部２に保水されている水が不織布等の導水部材３０を介して植木鉢２９の土３１に自動的に供給され続けることになる。
【００３６】
さらに、本体部２のプランタ台１８のプランタ１９内に土３２を所定量充填し、その土３２に草木等の植物を植栽しておくことにより、本体部１の各部に保水されている水がプランタ１９内の土３２に自動的に供給され続けることになる。
【００３７】
上記のように構成した本実施の形態による暑熱環境低減装置１にあっては、マンションやオフィスビル等のベランダ２８の上部に給水タンク２１を介して本体部２を設置し、雨樋２６に導水管２７を介して補給水タンク２４を接続し、補給水タンク２４と給水タンク２１との間を補給水管２５を介して接続するだけでよいので、マンションやオフィスビル等の共用部分を改造することなく、ベランダ２８の上部に容易に設置することができる。従って、設置に要する費用を大幅に削減することができる。
【００３８】
また、本体部２と給水部２０と補給水部２３とからなる小型で簡単な構造のものであるので、装置全体としてのコストを低減させることができる。さらに、設置に要するスペースが小さくて済むので、設置箇所の大小に影響されることなく設置することが可能となり、設置可能な範囲を広げることができる。
【００３９】
さらに、本体部２の植木鉢台５の天板１４の上部に植木鉢２９を載置させることにより、植木鉢２９の土３１に自動的に給水できるので、植栽した草木等の植物の管理に要する手間を大幅に削減することができる。また、プランタ台１８のプランタ１９の内部の土３２にも自動的に給水できるので、プランタ１９に植栽した草木等の植物の管理に要する手間も大幅に削減することができる。
【００４０】
なお、前記の説明においては、１つの植木鉢台５と１つのプランタ台１８とを組み合わせて本体部２を構成したが、２つ以上の植木鉢台５とプランタ台１８とを組み合わせて本体部２を構成してもよいし、植木鉢台５のみ又はプランタ台１８のみによって本体部２を構成してもよい。
【図面の簡単な説明】
【００４１】
【図１】本発明による暑熱環境低減装置の一実施の形態の全体を示した概略図である。
【図２】図１の部分拡大正面図である。
【図３】図２の平面図である。
【図４】図２のＡ−Ａ線に沿って見た断面図である。
【符号の説明】
【００４２】
１  暑熱環境低減装置      ２  本体部                ３  前面
４  後面                  ５  植木鉢台              ６  板状部材
７  第１脚板              ８  第２脚板              ９  第３脚板
１０  第４脚板            １１  第５脚板            １２  第６脚板
１３  第７脚板            １４  天板                １５  底板
１６  側板                １７  通気孔              １８  プランタ台
１９  プランタ            ２０  給水部              ２１  給水タンク
２２  挿入孔              ２３  補給水部            ２４  補給水タンク
２５  補給水管            ２６  雨樋                ２７  導水管
２８  ベランダ            ２９  植木鉢              ３０  導水部材
【図１】
2007270457.tif 000003
【図２】
2007270457.tif 000004
【図３】
2007270457.tif 000005
【図４】
2007270457.tif 000006